(57)【特許請求の範囲】
【請求項１】
（イ）各孔ごとに独立した細流を吐射する多数のシャワー孔を分散配置して成り、通過水をシャワー流として流出させるシャワー吐水部と、（ロ）多数の水の通孔を分散配置して成り、通過水を一束のストレート流として流出させるストレート吐水部と、（ハ）シャワー吐水とストレート吐水とを切り換える切換手段とを有しており、
ストレート吐水時において、前記切換手段により該シャワー吐水部によるシャワー流を、該シャワー吐水部の下流側に位置させた前記ストレート吐水部によりストレート流に変換して吐水するようになしてあるとともに、
シャワー吐水時において前記シャワー吐水部からのシャワー流を前記ストレート吐水部でストレート流に変換することなくそのままシャワー吐水するようになしてあり、
前記シャワー吐水部とストレート吐水部とは、ストレート吐水時及びシャワー吐水時の何れにおいても該ストレート吐水部が該シャワー吐水部の下流側に位置する状態に吐水方向に重複した状態に配置してあるとともに、それらシャワー吐水部とストレート吐水部とが吐水方向に相対的に接近，離間可能と成してあり、
前記切換手段は、シャワー吐水時において該ストレート吐水部と該シャワー吐水部とを相対的に接近移動させて、該シャワー吐水部からのシャワー流が該ストレート吐水部に当ることなくそのまま該ストレート吐水部の前記通孔を通過する位置に切り換えてシャワー吐水させる一方、
ストレート吐水時においては、該ストレート吐水部と該シャワー吐水部とを相対的に離間移動させて、前記シャワー流が該ストレート吐水部に当った上で前記通孔を通過する位置に切り換えて、該シャワー吐水部からのシャワー流を該ストレート吐水部により合流させてストレート吐水させるようになしてあることを特徴とする水栓設備における吐水装置。
【発明の詳細な説明】
【技術分野】
【０００１】
この発明は水栓設備における吐水装置に関し、詳しくはシャワー吐水とストレート吐水との切換機構に特徴を有するものに関する。
【背景技術】
【０００２】
従来、水栓設備における吐水装置は、通例シャワー吐水と１束のストレート流でのストレート吐水とを切換可能となしてある。
そのために従来の吐水装置ではシャワー吐水口とストレート吐水口とを別々の位置に配置、詳しくはストレート吐水口を中心部に、シャワー吐水口をストレート吐水口を取り囲むようにその外周側に配置した上、切換手段によってシャワー吐水口からのシャワー吐水とストレート吐水口からのストレート吐水とを切り換えるようにしている。
この場合の切換手段は、シャワー吐水口への吐水路とストレート吐水口への吐水路との一方を閉鎖して他方を開放、または一方を開放して他方を閉鎖するといったものである。
【０００３】
図１４及び図１５はこのような切換手段を備えた従来の吐水装置の例を示したものである（下記特許文献１）。
図１４において、２００は水栓設備における吐水ヘッド２０２に設けられた吐水装置で、２０４は散水部材２０６の中心部に設けられたストレート吐水口、２０８はそのストレート吐水口２０４を取り囲むように外周側に設けられた、小孔の多数のシャワー孔２０８ａから成るシャワー吐水口である。
【０００４】
２１０，２１２はストレート吐水口２０４，シャワー吐水口２０８への吐水路で互いに独立に形成されている。また２１４，２１６（図１５参照）は、それら吐水路２１０，２１２に連通して設けられた連通開口である。
これら連通開口２１４，２１６は、弁プレート２１８を貫通する形態で設けられている。
２２０は吐水路２１０，２１２の切換えを行う弁体で、アーム２２２，軸２２４を介してシーソー式のスイッチ操作部２２６に作動的に連結されている。
【０００５】
これら図１４，図１５に示す吐水装置２００の場合、スイッチ操作部２２６の正面（図１４中右側）から見て左端部を押動操作すると、弁体２２０が軸２２４，アーム２２２と一体に回動して、図１５（Ａ）に示しているように一方の連通開口２１４を閉鎖、他方の連通開口２１６を開放状態とする。即ちストレート吐水口２０４に到る吐水路２１０を閉鎖、シャワー吐水口２０８に到る吐水路２１２を開放状態とする。
ここにおいて給水はシャワー吐水口２０８へと導かれて、そこから外部にシャワー吐水される。
【０００６】
一方スイッチ操作部２２６の右端部を押動操作すると、今度は弁体２２０が図１５（Ｂ）に示しているように一方の連通開口２１４を開放、他方の連通開口２１６を閉鎖した状態となる。即ちストレート吐水口２０４に到る吐水路２１０を開放、シャワー吐水口２０８に到る吐水路２１２を閉鎖した状態となる。
ここにおいて給水はストレート吐水口２０４に導かれて、そこから外部に１束のストレート流でストレート吐水される。
【０００７】
しかしながらここに示す吐水装置２００の場合、ストレート吐水口２０４，シャワー吐水口２０８が別々に設けてあることから、それらストレート吐水口２０４，シャワー吐水口２０８それぞれによる吐水面積が狭くならざるを得ず、これに伴ってシャワー孔２０８ａの孔数が制限されたり、またストレート吐水口２０４の口径が狭く制限されたりし、快適なシャワー吐水，ストレート吐水の実現が困難である問題がある。
【０００８】
またシャワー吐水とストレート吐水との切換えのための切換機構が複雑となり、そしてこれに伴って吐水装置２００全体が必然的に大型化してしまい、美観を損ねたり、またデザインの自由度が制限されたりする問題が生じていた。
尚、本発明に対する先行技術として他に下記特許文献２に開示されたものがある。
【０００９】
【特許文献１】特開２００１−１１９１６号公報
【特許文献２】特開平９−４００１号公報
【発明の開示】
【発明が解決しようとする課題】
【００１０】
本発明はこのような事情を背景とし、小型化が可能であって美観に優れ、しかも快適なシャワー吐水とストレート吐水とを実現することのできる水栓設備における吐水装置を提供することを目的としてなされたものである。
【課題を解決するための手段】
【００１１】
而して請求項１のものは、（イ）各孔ごとに独立した細流を吐射する多数のシャワー孔を分散配置して成り、通過水をシャワー流として流出させるシャワー吐水部と、（ロ）多数の水の通孔を分散配置して成り、通過水を一束のストレート流として流出させるストレート吐水部と、（ハ）シャワー吐水とストレート吐水とを切り換える切換手段とを有しており、ストレート吐水時において、前記切換手段により該シャワー吐水部によるシャワー流を、該シャワー吐水部の下流側に位置させた前記ストレート吐水部によりストレート流に変換して吐水するようになしてあるとともに、シャワー吐水時において前記シャワー吐水部からのシャワー流を前記ストレート吐水部でストレート流に変換することなくそのままシャワー吐水するようになしてあり、前記シャワー吐水部とストレート吐水部とは、ストレート吐水時及びシャワー吐水時の何れにおいても該ストレート吐水部が該シャワー吐水部の下流側に位置する状態に吐水方向に重複した状態に配置してあるとともに、それらシャワー吐水部とストレート吐水部とが吐水方向に相対的に接近，離間可能と成してあり、前記切換手段は、シャワー吐水時において該ストレート吐水部と該シャワー吐水部とを相対的に接近移動させて、該シャワー吐水部からのシャワー流が該ストレート吐水部に当ることなくそのまま該ストレート吐水部の前記通孔を通過する位置に切り換えてシャワー吐水させる一方、ストレート吐水時においては、該ストレート吐水部と該シャワー吐水部とを相対的に離間移動させて、前記シャワー流が該ストレート吐水部に当った上で前記通孔を通過する位置に切り換えて、該シャワー吐水部からのシャワー流を該ストレート吐水部により合流させてストレート吐水させるようになしてあることを特徴とする。
【発明の作用・効果】
【００１２】
以上のように本発明は、ストレート吐水時において切換手段によりシャワー吐水部からのシャワー流を、シャワー吐水部の下流側に位置させたストレート吐水部によりストレート流に変換して吐水するようになしたもので、本発明によれば、ストレート吐水時においてシャワー流をストレート流に変換して吐水することから、ストレート吐水の際の吐水面積を広く確保することができ、快適なストレート吐水を実現することができる。
【００１３】
また切換手段はストレート吐水時にシャワー吐水部に対してストレート吐水部を相対的に接近移動させるだけで良いため、かかる切換手段における切換機構を簡単な構造でシンプルに構成でき、これにより吐水装置をコンパクトなものと成し得て美観を良好となし、またデザインの自由度を高めることができる。
【００１４】
また本発明は、シャワー吐水時においてシャワー吐水部からのシャワー流をストレート吐水部でストレート流に変換することなくそのままシャワー吐水するようになしていることから、ストレート吐水，シャワー吐水の何れも同一の吐水面を用いて吐水することができ、ストレート吐水のみならずシャワー吐水も広い吐水面積に亘って吐水でき、快適なストレート吐水及びシャワー吐水を実現することができる。
【００１５】
ここで上記ストレート吐水部は多数の水の通孔を分散配置したものとなしておく。
この場合においてそのストレート吐水部はメッシュ状部材にて構成しておくことができる。
【００１６】
本発明では、シャワー吐水部とストレート吐水部とを、ストレート吐水時及びシャワー吐水時の何れにおいてもストレート吐水部がシャワー吐水部の下流側に位置する状態に吐水方向に重複した状態に配置しておくとともに、それらシャワー吐水部とストレート吐水部とを吐水方向に相対的に接近，離間可能となしておき、そして切換手段によりストレート吐水部とシャワー吐水部とを相対的に接近又は離間させることによって、シャワー吐水及びストレート吐水を切り換えるようになしており、このようにすることで単に切換手段にてそれらシャワー吐水部とストレート吐水部とを相対的に接近又は離間させるだけで、簡単にシャワー吐水とストレート吐水とを切り換えることができる。
【発明を実施するための最良の形態】
【００１７】
次に本発明の実施形態を参考例とともに図面に基づいて以下に詳しく説明する。
図１において、１０はキッチンの流し台、１２はシンク、１４はキャビネット、１６はカウンタで、このカウンタ１６上にキッチン水栓（水栓設備）１８が設置されている。
この例において、キッチン水栓１８はシングルレバー式の混合水栓で、２０は水栓本体であり、その上部に操作レバー２２が左右及び上下方向に回動可能に設けられている。
水栓本体２０からは吐水管２４がシンク１２上方に向けて前方に延び出しており、その先端部の吐水ヘッド２６に吐水装置２８が設けられている。
【００１８】
図２に吐水装置２８の具体的な構成が示してある（図２〜図４は参考例を示す）。
同図に示しているように、吐水装置２８は継手本体３０と、円筒状をなす筒部材３２と、メッシュ状部材からなるストレート吐水部３６及びプレート状部材からなるシャワー吐水部３４を組んで成る吐水部ユニット３８とを主要素として有している。
継手本体３０の上端部外周面には雄ねじが形成されており、この雄ねじにおいてかかる継手本体３０が、吐水ヘッド２６の吐水口用の開口部４０内周面の雌ねじに螺合され、取り付けられている。
【００１９】
ここで継手本体３０と吐水ヘッド２６の中心孔４２との間は、環状の弾性を有するシール部材４４にて水密にシールされている。
尚、継手本体３０の下端部外周面と筒部材３２との間もまた環状の弾性を有するシール部材４６にて水密にシールされている。
また継手本体３０には、その上流部と下流部とを連通させる連通孔６０が図中上下方向に設けられている。
【００２０】
筒部材３２は継手本体３０の外周面に嵌合されており、その嵌合状態で止めねじ４８（図４参照）にて継手本体３０に抜止状態に固定されている。
【００２１】
上記吐水部ユニット３８におけるストレート吐水部３６とシャワー吐水部３４とは、吐水方向に重複した状態で互いに組み付けられている。
このメッシュ状部材から成るストレート吐水部３６は、その網目が水を通過させる通孔５０（図２（Ａ）中部分拡大図参照）とされている。
一方シャワー吐水部３４は、各孔ごとに独立した細流を吐射する多数のシャワー孔５２を有しており、それらが分散配置されている（図２（Ｂ）参照）。
このシャワー吐水部３４は通過水をシャワー状に流出させるもので、ここではシャワー流が吐水方向の軸心に対して外向きに広がった方向に流出される。
【００２２】
この吐水部ユニット３８からは横向き、即ち吐水方向と直角方向に軸５４が延び出している。
この軸５４は筒部材３２を貫通して外部に突き出しており、その突き出した外部に操作つまみ５６が固定具（ここではナット）５８により一体回転状態に固定してある。
この例では、これら軸５４，操作つまみ５６，固定具５８等により切換手段が構成されている。
【００２３】
この例の吐水装置２８では、この操作つまみ５６を回転操作することによって、図３（Ｉ）〜（III）に示しているように吐水部ユニット３８を吐水方向と直角方向の軸心周りに１８０°回転移動させる（図３（Ｉ）〜（III）は何れも軸５４方向から見た図である）。
そして吐水部ユニット３８を１８０°回転させることで、シャワー吐水とストレート吐水とを切り換える。
【００２４】
図４（Ｉ）はシャワー吐水状態を表したもので、このときにはシャワー吐水部３４がストレート吐水部３６に対して下流側に位置している。
この状態で吐水ヘッド２６の中心孔４２を通過して送られて来た水は、先ずストレート吐水部３６の通孔５０を通過した後シャワー吐水部３４の各シャワー孔５２を通過し、各シャワー孔５２ごとに独立した細流を下方に吐射する。
即ちシャワー吐水部３４からのシャワー流がそのまま吐水されてシャワー吐水となる。
【００２５】
他方、図４（II）に示しているように吐水部ユニット３８をこの状態から１８０°回転させて、ストレート吐水部３６をシャワー吐水部３４に対して下流側に位置させた状態で吐水を行うと、このときにはその吐水はストレート吐水となる。
詳しくは、中心孔４２を通過して送られて来た水は先ずシャワー吐水部３４を通過し、そこからシャワー流として下向きに流出する。
シャワー吐水部３４から流出したシャワー流は、その下流側のメッシュ状部材から成るストレート吐水部３６に当って、各通孔５０の通過時にそれぞれが合流して１束のストレート流として下向きに吐水される。
即ちシャワー吐水部３４からのシャワー流が、ストレート吐水部３６を通過することによって、そこでストレート流に変換されて下向きに吐水（ストレート吐水）される。
【００２６】
以上の説明から明らかなように、この例ではシャワー吐水部３４からのシャワー流がストレート吐水部３６の通孔５０をそのまま通過せず、一旦ストレート吐水部３６に当って合流しつつ通孔５０から下向きに流出するようになしてある。ストレート吐水部３６が予めそのように構成してある。
【００２７】
以上のような本例の吐水装置２８によれば、シャワー吐水部３４からのシャワー流をストレート吐水部３６でストレート流に変換して吐水し、またシャワー吐水時においてはシャワー吐水部３４からのシャワー流をそのまま吐水することから、ストレート吐水及びシャワー吐水の際の吐水面積を広く確保することができ、快適なストレート吐水及びシャワー吐水を実現することができる。
【００２８】
またこの例によれば、重複状態にあるシャワー吐水部３４とストレート吐水部３６とを単に操作つまみ５６により回転させて上，下流位置を逆転させるだけでシャワー吐水，ストレート吐水の何れをも簡単に実現することができ、その切換えのための機構を簡単な構造でシンプルに構成できる。これにより吐水装置２８をコンパクトなものと成し得て美観を良好となし、またデザインの自由度を高めることができる。
【００２９】
図５，図６は他の参考例を示している。
図５に示しているように、この例では継手本体６２が有底の円筒形状をなしており、その上端部がねじリング６４を介して吐水ヘッド２６に連結されている。
詳しくは、ねじリング６４の内周面の雌ねじに対して継手本体６２の上端部外周面の雄ねじが螺合され、またねじリング６４の外周面の雄ねじが、吐水ヘッド２６の吐水口用の開口部４０内周面の雌ねじに螺合され、かかるねじリング６４によって継手本体６２がその開口部４０に取付固定されている。
【００３０】
この継手本体６２は、その底部が多数のシャワー孔５２を分散配置して成るシャワー吐水部３４として構成されている。
即ちこの例では、シャワー吐水部３４が継手本体６２に一体に構成されている。
【００３１】
６６はストレート吐水部で、このストレート吐水部６６は筒部材６７と一体に構成されている。
筒部材６７は上端部に内向きのフランジ部６８を有していて、そのフランジ部６８が、継手本体６２の環状の溝７０に嵌合しており、それらフランジ部６８と溝７０との嵌合に基づいて、筒部材６７が継手本体６２に対し回転可能且つ抜止状態に取り付けられている。即ちストレート吐水部６６がシャワー吐水部３４に対して吐水方向の軸心周りに回転可能とされている。
この例では、筒部材６７及びフランジ部６８，環状の溝７０にて切換手段が構成されている。
【００３２】
ここでストレート吐水部６６は、図５（Ｂ）に示しているように多数の放射部７２と同心円状の多数の円周部７４とによりメッシュ状に構成されており、そこに多数の網目が形成されていて、それら網目の部分がストレート吐水部６６における通孔７６を成している。
尚この例において、シャワー吐水部３４におけるシャワー孔５２もまた、図５（Ｂ）に示しているように放射状且つ多数の同心円状に配列されている。
尚図５（Ａ）において７７は異物除去のためのストレーナである。
【００３３】
この例では、筒部材６７を吐水方向の軸心周りに回転し、これによりこれと一体に構成されたストレート吐水部６６のシャワー吐水部３４に対する相対的な回転位置を変化させることで、シャワー吐水とストレート吐水とを切り換えることができる。
図６はその作用説明図である。
【００３４】
図６（Ｉ）はシャワー吐水時の状態を表しており、このときシャワー吐水部３４のシャワー孔５２とストレート吐水部６６の通孔７６とは互いに合致した状態にあって、シャワー吐水部３４からのシャワー流はストレート吐水部６６に当ることなく、そのままストレート吐水部６６の通孔７６を通過して外部にシャワー吐水される。
【００３５】
一方図６（II）はこの状態から筒部材６７を回転操作して、ストレート吐水部６６の回転位置をストレート吐水時の位置に切り換えた状態を表している。
同図に示しているようにこのときにはストレート吐水部６６の通孔７６が、シャワー吐水部３４のシャワー孔５２と不一致の状態（非合致の状態）にあり、シャワー吐水部３４からのシャワー流はストレート吐水部６６に当って合流し、ストレート吐水部６６の通孔７６を通って下向きに１束のストレート流として吐水（ストレート吐水）される。
【００３６】
この例によれば、単にシャワー吐水部３４とストレート吐水部３６とを相対回転させて、その回転位置を変化させるだけでシャワー吐水とストレート吐水とを簡単に切り換えることができる。
【００３７】
図７及び図８は更に他の参考例を示している。
図７に示しているように、この例ではストレート吐水部６６を薄板状のスライドプレート９２に一体に構成し、そしてこれをスライドプレート９２と一体にシャワー吐水部３４に対して図７（Ａ）中左右方向にスライド移動可能となしている。即ちストレート吐水部６６をシャワー吐水部３４に対して吐水方向と直角方向にスライド移動可能となしてある。
尚ストレート吐水部６６がメッシュ状に構成してある点は上記の例と同様である。特にこの例では、そのメッシュの構成が図５に示すストレート吐水部６６と基本的に同様の構成となしてある。
この例の場合、スライドプレート９２が切換手段を成している。
【００３８】
この例では、スライドプレート９２を図中左右方向にスライド移動させることによって、シャワー吐水とストレート吐水とを切り換えることができる。
図８（Ｉ）はそのシャワー吐水時の状態を表している。
この状態では、シャワー吐水部３４のシャワー孔５２とストレート吐水部６６の通孔７６とは合致した状態にあって、シャワー吐水部３４からのシャワー流は、ストレート吐水部６６に当ることなくそのままストレート吐水部６６の通孔７６を通って外部にシャワー吐水される。
【００３９】
一方この状態でスライドプレート９２を図中左右方向（この例では図中左方向）にスライド移動させて、図８（II）に示すようなストレート吐水時の状態に切り換えると、このときにはシャワー吐水部３４からのシャワー流がストレート吐水部６６に当る状態となって、そのシャワー流がストレート吐水部６６で合流して各通孔７６からストレート流として吐水（ストレート吐水）される。
【００４０】
この例によれば、単にスライドプレート９２を操作してストレート吐水部６６をシャワー吐水部３４に対し相対的にスライド移動させるだけで、シャワー吐水とストレート吐水とを簡単に切り換えることができる。
【００４１】
次に図９及び図１０は本発明の実施形態を示している。
この実施形態では、メッシュ状をなすストレート吐水部６６が筒部材７８に一体に構成されている。
この筒部材７８は、操作リング８０の回転操作によって図中上下方向に移動可能とされている。
即ちストレート吐水部６６が、継手本体６２の底部として一体に構成されたシャワー吐水部３４に対し図９（Ａ）中上下方向、即ちシャワー吐水部３４に対して接近及び離間方向に移動可能（吐水方向において移動可能）とされている。
【００４２】
この実施形態では、操作リング８０の上端部に内向きのフランジ部６８が設けられていて、そのフランジ部６８が継手本体６２の外周面に形成された環状の溝７０に回転可能に嵌合し、かかる操作リング８０が、継手本体６２に抜止状態且つ回転可能に取り付けられている。
この操作リング８０の内周面には螺旋状をなす２条の案内溝８１が形成されており、そこに筒部材７８の外周面に設けられた螺旋状の２条の突出部８２が案内溝８１に沿って相対摺動可能に嵌入させられている。
この実施形態では、筒部材７８，操作リング８０，フランジ部６８，環状の溝７０，螺旋状の案内溝８１及び突出部８２等にて切換手段が構成されている。
【００４３】
この実施形態の場合、操作リング８０を回転操作すると、案内溝８１と突出部８２との案内作用で筒部材７８が図９（Ａ）中上下方向即ち吐水方向に移動し、ストレート吐水部６６がシャワー吐水部３４に対して接近，離間方向に移動する。
尚操作リング８０の回転操作時に筒部材７８が共回りしないように、筒部材７８にはその内周側にスライド爪８４が突出形成されており、そのスライド爪８４が、継手本体６２に設けられた縦方向のキー溝８６に図中上下方向にスライド可能に係入している。
【００４４】
この実施形態では、操作リング８０を回転操作して筒部材７８を図中上下方向に移動させ、これによりストレート吐水部６６をシャワー吐水部３４に対して接近位置と離間位置とに切り換えることによって、シャワー吐水とストレート吐水とを切り換えることができる。
図１０はそのシャワー吐水時とストレート吐水時の状態を示している。
【００４５】
図１０（Ｉ）はシャワー吐水時の状態を表しており、このときストレート吐水部６６はシャワー吐水部３４に接近した位置、具体的にはここではストレート吐水部６６がシャワー吐水部３４に対してほぼ隙間無く重なり合った状態にあり、この場合シャワー吐水部３４からのシャワー流はストレート吐水部６６に当ることなく、そのままストレート吐水部６６の通孔７６を通過して下向きにシャワー吐水される。
一方図１０（II）に示しているようにストレート吐水部６６がシャワー吐水部３４から図中下向きに離間した状態（ストレート吐水時に切り換えられた状態）の下では、シャワー吐水部３４からのシャワー流はストレート吐水部６６に当ってそこで合流し、通孔７６を通過して下向きにストレート吐水される。
【００４６】
本実施形態によれば、単に操作リング８０にてそれらシャワー吐水部３４とストレート吐水部６６とを相対的に接近又は離間させるだけで、簡単にシャワー吐水とストレート吐水とを切り換えることができる。
【００４７】
図１１及び図１２は本発明の更に他の実施形態を示している。
この実施形態は、ストレート吐水部６６がシャワー吐水部３４に対して接近又は離間することによってシャワー吐水とストレート吐水とを切り換える点で図９及び図１０に示す実施形態と同様であるが、この実施形態では筒部材７８に空気取込口８８が設けられている。
但しこの空気取込口８８は、図１２（II）に示すストレート吐水時において外部に開放された状態となる位置に設けられている。
【００４８】
この実施形態では、図１２（Ｉ）に示しているようにストレート吐水部６６がシャワー吐水部３４に対して接近位置にある状態、具体的にはほぼ隙間無く重なり合った状態の下では、シャワー吐水部３４からのシャワー流がストレート吐水部６６に当ることなくそのまま下向きにシャワー吐水される。
一方図１２（II）に示しているようにストレート吐水部６６がシャワー吐水部３４から図中下向きに離間した位置にある状態では、シャワー吐水部３４からのシャワー流がストレート吐水部６６に当って、そこから１束のストレート流として吐水（ストレート吐水）される。
【００４９】
尚このとき、外周部のシャワー孔５２から吐射された細流は筒部材７８の下端外周部のテーパ部９０、詳しくは上面がテーパ面をなして内向きに突出した環状のテーパ部９０に当って内向きの跳返りを生じるとともに、その外側にほぼ密閉された環状の空間を形成する。
この状態で吐水が行われるとその環状の空間に負圧が発生し、その負圧に基づいて外部の空気が空気取込口８８から内部に取り込まれ、そして取り込まれた空気が吐水流に混ざってストレート吐水部６６からのストレート吐水が空気混じりの泡沫流となる。
【００５０】
図１３は更に他の参考例を示したもので、この実施形態は図１１及び図１２に示す実施形態においてメッシュ状部を省略した形態でストレート吐水部９４を構成した例である。
この例では、図１３（Ｉ）に示しているようにシャワー吐水時においてはストレート吐水部９４が筒部材７８とともに上昇位置にあって、シャワー吐水部３４からのシャワー流はそのまま下向きに吐水（シャワー吐水）される。
一方図１３（II）に示しているようにストレート吐水部９４が筒部材７８とともに下降位置にあるときには、シャワー吐水部３４からのシャワー流のうち外周側の部分がストレート吐水部９４におけるテーパ部９０に当って内向きの跳返りを生じ、その跳返り水によってシャワー流全体が１束のストレート流としてストレート吐水部９４より下向きに吐水（ストレート吐水）される。
【００５１】
この例においても、外周部分の空間に空気取込口８８を通じて空気が取り込まれ、その取り込まれた空気が吐水流に混ざって泡沫流となる。
【００５２】
以上本発明の実施形態を参考例とともに詳述したがこれらはあくまで一例示であり、本発明はその趣旨を逸脱しない範囲において種々変更を加えた形態で構成可能である。
【図面の簡単な説明】
【００５３】
【図１】参考例である吐水装置を水栓設備及び流し台とともに示す図である。
【図２】同参考例の吐水装置を示す図である。
【図３】同参考例の吐水装置の吐水切換えの際の作用図である。
【図４】同参考例におけるシャワー吐水時とストレート吐水時とを示す図である。
【図５】他の参考例を示す図である。
【図６】同参考例におけるシャワー吐水時とストレート吐水時とを表す図である。
【図７】更に他の参考例を示す図である。
【図８】同参考例におけるシャワー吐水時とストレート吐水時とを表す図である。
【図９】本発明の実施形態を示す図である。
【図１０】同実施形態におけるシャワー吐水時とストレート吐水時とを表す図である。
【図１１】本発明の他の実施形態を示す図である。
【図１２】同実施形態におけるシャワー吐水時とストレート吐水時とを表す図である。
【図１３】更に他の参考例におけるシャワー吐水時とストレート吐水時とを表す図である。
【図１４】従来の吐水装置の一例を示した図である。
【図１５】図１４の吐水装置の作用説明図である。
【符号の説明】
【００５４】
１８  キッチン水栓（水栓設備）
２８  吐水装置
３４  シャワー吐水部
５０  通孔
５２  シャワー孔
５６  操作つまみ
６６  ストレート吐水部
６７  筒部材
８０  操作リング
８８  空気取込口
【図１】
0004709266.tif 000002
【図２】
0004709266.tif 000003
【図３】
0004709266.tif 000004
【図４】
0004709266.tif 000005
【図５】
0004709266.tif 000006
【図６】
0004709266.tif 000007
【図７】
0004709266.tif 000008
【図８】
0004709266.tif 000009
【図９】
0004709266.tif 000010
【図１０】
0004709266.tif 000011
【図１１】
0004709266.tif 000012
【図１２】
0004709266.tif 000013
【図１３】
0004709266.tif 000014
【図１４】
0004709266.tif 000015
【図１５】
0004709266.tif 000016